(57)【要約】【課題】  再生ズーム使用時、プリントサイズに合わせて、高画質でプリント可能であるかの情報を表示し、高画質でプリントできないと判断した際にはズームを停止させ警告を行うことにより、画質の悪いプリントをなくさせるデジタルカメラを提供する。【解決手段】  再生ズーム使用時に、高画質でプリント可能なサイズに応じて、LCD２０７にプリント可能サイズの表示を行い、高画質でプリント可能なサイズを超えてズームを実行しようとした際に、ズームを停止させる。今後更にズームを続けた際には、LCD２０７に表示されているサイズにおいて高画質でプリントすることを推奨できない旨を警告する。更にズームを行いたい場合は、ズームキーを押すことにより、ズームを再開する。また、ズームを停止させる制限値の設定を所望する値に設定することが可能であり、ズーム制限をかけるプリントサイズの指定を所望するサイズに変更することが可能である。【選択図】  図１
2008085815.tif 000002
【特許請求の範囲】
【請求項１】
被写体の光学像を電気信号に変換する撮像手段と、前記撮像手段を介して取得された画像データを表示用の信号に変換する信号変換手段と、前記信号変換手段で生成された信号に基づいて画像を表示する画像表示手段と、前記画像表示手段に表示された画像の拡大/縮小指示を与える倍率変更操作手段と、前記倍率変更操作手段の指示に従い、表示中の画像を拡大処理して、前記画像表示手段に表示させる再生ズーム手段と、前記再生ズーム手段によるズーム再生時に前記画像表示手段で表示される画像表示位置を移動させる指示を入力するズーム移動指示手段を備えたことを特徴とする撮像装置。
【請求項２】
前記倍率変更操作手段の指示に従い、前記再生ズーム手段を用いたズーム再生時、印刷を行う用紙のサイズ及び記録された画像サイズ、ズーム倍率から決まる、印刷可能とみなすサイズの表示を行う表示手段を有することを特徴とする請求項１に記載の撮像装置。
【請求項３】
前記画像表示手段は、何万画素クラスの画像と同等かを表示することを特徴とする請求項１または請求項２に記載の撮像蔵置。
【請求項４】
前記画像表示手段は、印刷可能とみなすサイズの全ての表示を行うことを特徴とする請求項１乃至請求項３のいずれか１項に記載の撮像装置。
【請求項５】
前記倍率変更手段の指示に従い、前記再生ズーム手段を用いたズーム再生時、印刷を行う用紙のサイズ及び記録された画像サイズ、ズーム倍率から決まる、印刷可能とみなすサイズより前記画像表示手段で表示される画像が小さくなる場合を判定する判定手段を有し、前記倍率変更手段及び前記再生ズーム手段を停止させる制御を行う制御手段を有することを特徴とする請求項１乃至請求項４のいずれか１項に記載の撮像装置。
【請求項６】
前記判定手段の判定閾値を任意に設定できることを特徴とする請求項１乃至請求項５のいずれか１項に記載の撮像装置。
【請求項７】
前記倍率変更手段及び前記再生ズーム手段の停止を行うための、印刷可能とみなすサイズの種類を任意に設定できることを特徴とする請求項１乃至請求項６のいずれか１項に記載の撮像装置。
【請求項８】
前記画像表示手段に表示される画像サイズが、印刷を行う用紙のサイズ及び記録された画像サイズとズーム倍率から決まる、印刷可能とみなすサイズより小さくなる場合、印刷の推奨をできない旨を警告する警告手段を有することを特徴とする請求項１乃至請求項７のいずれか１項に記載の撮像装置。
【請求項９】
ズーム再生を停止させた後、更に前記倍率変更手段及び前記再生ズーム手段を使用することにより、再生ズームを再開することを特徴とする請求項１乃至請求項８のいずれか１項に記載の撮像装置。
【請求項１０】
請求項１乃到請求項１０記載の機能のオン/オフを任意に設定できることを特徴とする撮像装置。
【請求項１１】
前記請求項１に記載の撮像装置と、該撮像装置で撮像され記憶された画像を印刷用紙にプリントする印刷装置が通信接続を行う撮像/印刷システムにおいて、前記印刷装置は、印刷対応可能な用紙サイズ情報を前記撮像装置へ供給する用紙サイズ情報供給手段を有し、前記撮像装置は、前記印刷装置から受け取った用紙サイズ情報に基づいて、印刷可能とみなすサイズの種類を決定し、請求項２乃至５、請求項８乃到１０記載の特徴を有す撮像/印刷システム。
【発明の詳細な説明】
【技術分野】
【０００１】
本発明は、再生ズームを使用してプリントする際の撮像装置に関するものである。
【背景技術】
【０００２】
デジタルカメラでは、撮影により取得した画像は着脱可能な記録媒体(リムーバブルメディア)、カメラに内蔵される記録媒体に記録される。こうして記録された画像は、カメラに付属するLCD等の画像表示装置に表示したり、家庭用のプリンタで印刷し鑑賞することもできる。また、最近では、画像データを記録した記録メディアを受け取り、この記録メディアに記録されている画像をプリントして顧客に提供するというデジタル写真プリントサービスも実施されている。このように所望の画像を簡易にプリントアウトすることができるようになった。
【０００３】
しかしながら、プリントアウトする際、トリミング指定印刷をする場合には、再生ズームを使用するが、高画質でプリントするには再生ズームを使用できる範囲がどこまで良いのか分からない。このため、従来は、プリント領域を示す枠があり、プリンタの有する性能が発揮されないでプリントされると判定された場合には、枠の色を変えるというものがある。(例えば、特許文献１参照)
【特許文献１】特開2003-57763号公報
【発明の開示】
【発明が解決しようとする課題】
【０００４】
しかしながら、上記従来例では、次のような課題があった。即ち、上記従来例では、プリント対象画像が表示手段の表示領域全体に表示されず、プリント領域を狭くすればするほどプリント対象画像が見にくくなっていた。また、プリンタの有する性能が発揮されないでプリントされる恐れがあるプリント指定領域の境界に制限を設けることなく、注意を促すのみであり、境界の前後もプリント指定領域枠を容易に動かせたので、誤って意図しないプリント指定領域枠で印刷してしまう恐れがあるという課題があった。
【０００５】
本発明では、再生ズーム使用時に、所望のプリント用紙サイズに応じてズームに制限をかけ、画質の悪いプリントを排除することを目的とする。
【課題を解決するための手段】
【０００６】
上記目的を達成するため、本発明は、被写体の光学像を電気信号に変換する撮像手段と、前記撮像手段を介して取得された画像データを表示用の信号に変換する信号変換手段と、前記信号変換手段で生成された信号に基づいて画像を表示する画像表示手段と、前記画像表示手段に表示された画像の拡大/縮小指示を与える倍率変更操作手段と、前記倍率変更操作手段の指示に従い、表示中の画像を拡大処理して、前記画像表示手段に表示させる再生ズーム手段と、前記再生ズーム手段によるズーム再生時に前記画像表示手段で表示される画像表示位置を移動させる指示を入力するズーム移動指示手段を備えたことを特徴とする撮像装置であって、前記倍率変更手段及び前記再生ズーム手段を用いたズーム再生時、印刷を行う用紙のサイズ及び記録された画像サイズ、ズーム倍率から決まる、印刷可能とみなすサイズの表示を行う表示手段を有することを特徴とする。
【０００７】
前記倍率変更手段及び前記再生ズーム手段を用いたズーム再生時、印刷を行う用紙のサイズ及び、記録された画像サイズ、ズーム倍率から決まる、印刷可能とみなすサイズより画像表示手段に表示された画像が、小さくなる場合を判定する判定手段を有し、前記倍率変更手段及び前記再生ズーム手段を停止させる制御を行う制御手段を有することを特徴とする。
【０００８】
前記表示手段は、何万画素クラスの画像と同等かを表示することを特徴とする。
【０００９】
前記表示手段は、印刷可能とみなすサイズの全ての表示を行うことを特徴とする。
【００１０】
前記画像表示手段に表示される画像サイズが、印刷を行う用紙のサイズ及び記録された画像サイズとズーム倍率から決まる、印刷可能とみなすサイズより小さくなる場合、印刷の推奨をできない旨を警告する警告手段を有することを特徴とする。
【００１１】
ズーム再生を停止させた後、更に前記倍率変更手段及び前記再生ズーム手段を使用することにより、再生ズームを再開することを特徴とする。
【００１２】
前記判定手段の判定閾値を任意に設定できることを特徴とする。
【００１３】
前記再生ズーム手段の停止を行うための、印刷可能とみなすサイズの種類を任意に設定できることを特徴とする。
【００１４】
前記記載の機能のオン/オフを任意に設定できることを特徴とする。
【００１５】
前記撮像装置と撮像され記憶された画像を印刷用紙にプリントする印刷装置と組み合わせて、通信接続を行う撮像/印刷システムにおいて、前記印刷装置は、印刷対応可能な用紙サイズ情報を前記撮像装置へ供給する用紙サイズ情報供給手段を有し、前記撮像装置は、前記印刷装置から受け取った用紙サイズのみを、印刷可能とみなすサイズの種類に設定し、前記倍率変更手段及び前記再生ズーム手段を用いたズーム再生時、印刷を行う用紙のサイズ及びき録された画像サイズ、ズーム倍率から決まる、印刷可能とみなすサイズの表示を行う表示手段を有することを特徴とする。
【００１６】
前記再生ズーム手段を用いたズーム再生時、印刷を行う用紙のサイズとズーム倍率から決まる、印刷可能とみなすサイズより小さくなる場合を判定する判定手段を有し、前記再生ズーム手段を停止させる制御を行う制御手段を有することを特徴とする。
【００１７】
前記表示手段は、何万画素クラスの画像と同等かを表示することを特徴とする。
【００１８】
前記表示手段は、印刷可能とみなすサイズの全ての表示を行うことを特徴とする。
【００１９】
印刷を行う用紙のサイズとズーム倍率から決まる、印刷可能とみなすサイズより小さくなる場合、印刷の推奨をできない旨を警告する警告手段を有することを特徴とする。
【００２０】
ズーム再生を停止させた後、更に倍率変更手段及び再生ズーム手段を使用することにより、再生ズームを再開することを特徴とする。
【発明の効果】
【００２１】
以上説明したように、本発明によれば、画像表示手段の表示領域全体に印刷対象画像を表示させ、高画質でプリント可能であるサイズごとに、ズームに制限をかけるため、ユーザの所望するプリント対象画像を大画面で確認したまま、高画質でプリントできるか出来ないかを容易に判断をすることができ、画質の悪いプリントをなくすことができる。
【００２２】
また、高画質でプリント可能であるサイズの選択設定、高画質と決めるピクセル数の設定をユーザの意志により設定できることにより、ユーザの所望に応じて柔軟性に富んだプリントシステムが可能となる。
【００２３】
また、プリンタよりサポートしている印刷用紙のサイズ情報を得られるため、ユーザの所望するプリントサイズで再生ズームに制限をかけたが、そのサイズがプリンタでサポートされていないため、画質の悪いプリントになってしまうという事態を回避できる。
【発明を実施するための最良の形態】
【００２４】
（実施例１）
本発明の概要について説明する。本発明は、再生ズームを用いてユーザの所望する画像領域を印刷用紙にプリントする際、デジタルカメラのLCDの表示領域全体でユーザの所望する画像領域を確認することができ、高画質でプリント可能であるプリントサイズをデジタルカメラのLCDに表示を行うと共に、高画質でプリント可能であるプリントサイズの設定を超えてズームを実行しようとするとズームを停止させ、デジタルカメラのLCDに警告を表示する。これにより、ユーザの所望するプリント画像領域を大画面で確認することができ、プリントサイズに応じてズームを停止させるため、画質の悪いプリントをしないようにすることが、直感的に認識することができる。
【００２５】
図２はデジタルカメラのブロック図である。デジタルカメラ９０１はCCD２００、CPU２０１、画像処理エンジン２０２、FlashROM（フラッシュROM）２０３、SDRAM(Synchronous Dynamic RAM)２０４、メモリカード２０５、カードインターフェース２０６、LCD２０７、LCDドライバ２０８を備えている。メモリーカード２０５は、例えば、CF（コンパクトフラッシュ(登録商標)）が適用される。記録メディアの形態はこれに限定されず、SDカード、PCカード、磁気ディスク、光ディスク、光磁気ディスクなどでもよく、磁気的、光学的、電子的、または、これらを組み合わせた方式に従って読み書き可能、種々の媒体を用いることができる。また、データを保存する手段は、カメラ本体に着脱可能なリムーバブルメディアに限らず、デジタルカメラ９０１に内蔵される記録媒体（内部メモリ）でもよい。CCD２００はデジタルカメラ９０１のレンズを通して結像された画像を電気信号に変換するための光電変換素子である。CPU２０１はデジタルカメラ９０１全体の制御及び演算処理を司る中央処理装置であり、FlashROM（フラッシュROM）２０３に格納されたプログラムに基づいて図１のフローチャートに示す処理を実行する。画像処理エンジン２０２は、CCD２０１から送られてきた電気信号を処理する。FlashROM２０３は、デジタルカメラ９０１全体を制御するプログラムを格納する。SDRAM２０４は、画像データの一時的な保存、データ処理作業に使用される。メモリーカード２０５は、画像データファイルを保存する。カードインターフェース２０６は、メモリーカード２０５をデジタルカメラ９０１に装着するためのものである。LCD２０７は、デジタルカメラ１で撮影した画像を表示したり、デジタルカメラ1を操作するメニューを表示する。LCDドライバ２０８は、LCD２０７を駆動制御する。モード選択レバー２０９によって再生モードが選択されると、メモリーカード２０５に記録されている最後に記録したファイルが読み出されLCD２０７に表示される。また、キャラクタージェネレータ２１０で生成されるデータは画像処理信号に重畳されてLCD２０７に表示される。再生モードの一コマ再生時にズームキー２１１を操作すると画像が拡大/縮小されてLCD２０７に表示される。また、拡大/縮小された状態で十字キーを操作することにより画像の位置を左右、上下に動かすことができる。
【００２６】
図１は本発明の実施の形態に係わる高画質でプリント可能であるサイズ情報の表示の変化と、ズームの制限をかける際の動作のフローチャートである。本フローチャートは、デジタルカメラ９０１のCPU２０１により、プログラムに基づき実行される。先ず、デジタルカメラのモードを静止画再生モードを選択する。（ステップS１０１）次に、ズームキーを押す（ステップS１０２）ことによりステップS１０３に進む。ステップS１０４では、その時点での高画質としてプリント可能である最大サイズの情報を表示手段に表示する。表示方法を図3に示す。続いて、ステップS１０５では表示手段に表示されている画像が、ステップS１０４で表示されたプリント可能サイズの、ズーム制限値の1つ手前の値であればステップS１０６に進み、そうでなければステップS１０２へと戻る。上記ステップ１０５はCPU２０１により判定される。ステップS１０６では、ズームを停止させ、ステップS１０７で、今後更にズームを続けた際には、ステップS１０４で表示したサイズを高画質でプリントすることを推奨できない旨を警告する。図4は、その時の表示例である。更にズームを続けたい場合はズームキーを押すことによりズームを再開する。（ステップS１０８、S１０９）
ステップS１０４の表示方法は図５のように何万画素クラスカメラ相当の画質であるかの表示であってもよい。
【００２７】
また、図６のようにズームに制限のかかっている高画質としてプリント可能であるサイズ情報全てを表示し、ズーム倍率の制限値を超えたサイズには灰色等の暗色で表示するようにしてもよい。
【００２８】
また、図３、図５〜図６の表示方法は単独で用いるだけでなく、図７のように複数同時に表示してもよい。
【００２９】
高画質でプリント可能であるサイズを表示する際において、具体的には、[（LCD２０７の表示画面の縦方向のピクセル数）＞（高画質でプリント可能であるサイズに必要な縦方向のピクセル数）かつ（LCD２０７の表示画面の横方向のピクセル数）＞（高画質でプリント可能であるサイズに必要な横方向のピクセル数）]を満たす関係になっている間は高画質でプリント可能であるとしている。ここで、（LCD２０７の表示画面の縦(横)方向のピクセル数＝記録時の縦（横）方向のピクセル数×ズーム倍率）から算出している。
【００３０】
一般的な高画質でプリント可能であるサイズに必要なピクセル数とプリントサイズの関係を図８に示す。
【００３１】
尚、本発明の第1の実施の形態では、ズームを停止させる高画質でプリント可能なサイズの種類は、予め設定されているが、ズームを停止させる高画質でプリント可能なサイズの種類の選択は、ユーザが任意に指定することも可能である。
【００３２】
尚、本発明の第1の実施の形態では、高画質でプリント可能であるサイズに必要なピクセル数は予め設定されているが、高画質でプリント可能であるサイズに必要なピクセル数はユーザが任意に設定することも可能である。
【００３３】
再生モードの一コマ再生時にズームキー２１１を操作する際に、本発明の高画質でプリント可能であるサイズに応じて、プリントサイズの表示とズームを停止させる機能のオン/オフを指定することも可能である。
【００３４】
以上説明したように、高画質でプリントできるサイズに応じてズームを停止させるため、ユーザの所望するプリント画像領域を大画面で確認したまま、高画質でプリントできる範囲を直感的に認識することが可能となる効果を奏する。また、高画質でプリント可能であるサイズの選択設定、高画質と決めるピクセル数の設定をユーザの意志により設定できることにより、柔軟性に富んだプリントシステムが可能となる効果を奏する。
【００３５】
（実施例２）
図９は本発明の第2の実施の形態の係わるデジタルカメラ及びプリンタ装置の構成例を示す概略図である。
【００３６】
デジタルカメラ９０１とプリンタ装置９０３とを専用ケーブル９０２で接続した構成になっている。デジタルカメラ９０１とプリンタ装置９０３は、専用ケーブルにより相互にデータを送受信することが可能である。デジタルカメラ９０１とプリンタ装置９０３を接続した際、接続されたプリンタ装置９０３はサポートしている印刷用紙サイズの情報をデジタルカメラ９０１に送信する。デジタルカメラ９０１は、この印刷用紙サイズの情報と同じサイズを、高画質でプリント可能であるサイズとして自動選択する。再生ズームの制御、LCD２０７への表示に関しては、上記第1の実施の形態と同様に、ユーザの所望するプリント画像領域をLCD２０７画面全体を使って確認することができ、高画質でプリント可能であるサイズを超えて再生ズームを使用しようとした際には、ズームを停止させ、LCD２０７の画面上に警告をする。動作のフローチャートは図２と同様であるので、第２の実施の形態では省略する。
【００３７】
以上説明したように、本発明の第2の実施例の形態によれば、上記第1の実施の形態で挙げたのと同様の効果を奏する。また、プリンタ装置９０３よりサポートしている印刷用紙のサイズを得られるため、ユーザの所望するプリントサイズで再生ズームに制限をかけたが、そのサイズがプリンタ装置でサポートされていないといった、事態を回避できる効果を奏する。
【００３８】
（他の実施例）
本発明の上記第1〜第2の実施の形態では、撮像装置としてデジタルカメラを例に挙げたが、本発明はこれに限定されるものではなく、デジタルビデオカメラにも適用可能である。
【図面の簡単な説明】
【００３９】
【図１】本例のカメラの動作を示すフローチャートである。
【図２】本例におけるカメラの内部構造を示すブロック図である。
【図３】高画質でプリント可能であるサイズを表示する画面例を示す図である。
【図４】高画質でプリントすることを推奨できない旨を警告する画面例を示す図である。
【図５】何万画素クラスカメラ相当の画質であるかの表示をする画面例を示す図である。
【図６】ズームに制限のかかっている高画質としてプリント可能であるサイズ情報の全てを表示する画面例を示す図である。
【図７】第１の実施形態に係わる表示画面例を複数同時に表示をする際の画面例を示す図である。
【図８】高画質でプリント可能であるサイズとそれに必要なピクセル数の関係例を示す図である。
【図９】第２の実施形態に係わるデジタルカメラ及びプリンタの構成例を示す図である。
【符号の説明】
【００４０】
２００  CCD（光電変換素子）
２０１  CPU（制御手段、判定手段）
２０７  LCD（表示手段）
２１１  ズームキー（ズーム手段）
９０１  デジタルカメラ（撮像装置）
９０３  プリンタ（印刷装置）
【図１】
2008085815.tif 000003
【図２】
2008085815.tif 000004
【図３】
2008085815.tif 000005
【図４】
2008085815.tif 000006
【図５】
2008085815.tif 000007
【図６】
2008085815.tif 000008
【図７】
2008085815.tif 000009
【図８】
2008085815.tif 000010
【図９】
2008085815.tif 000011